(57)【要約】【課題】毛髪にストレートパーマとカーリングを良好に施すことができるヘアアイロンを提供する。【解決手段】ヘアアイロンは、近接状態と離隔状態とに変位し、近接状態において夫々が前後方向に延びた形態である一対の本体部１０，２０と、一対の本体部１０，２０が近接状態において対向する対向面の夫々に設けられ、一対の本体部１０，２０を近接状態にすると当接する挟持面３１，４１を有する一対の発熱部３０，４０とを備えている。各本体部１０，２０は挟持部１０Ｂ，２０Ｂの左右両端縁が前後方向に延びている。各発熱部３０，４０の前後方向に延びた左右両端縁が各本体部１０，２０の挟持部１０Ｂ．２０Ｂの左右両端縁よりも左右外側に位置している。【選択図】図１
2019115449.tif 000002
【特許請求の範囲】
【請求項１】
近接状態と離隔状態とに変位し、近接状態において夫々が前後方向に延びた形態である一対の本体部と、
一対の前記本体部が近接状態において対向する対向面の夫々に設けられ、一対の前記本体部を近接状態にすると当接する挟持面を有する一対の発熱部と、
を備えており、
各前記本体部は前記発熱部が設けられている部分の左右両端縁が前後方向に延びており、
各前記発熱部は、前後方向に延びた左右両端縁の夫々が、各前記本体部の各前記発熱部が設けられた部分の左右両端縁に揃っている、又は左右両端縁のうち少なくとも一方が各前記本体部の前記発熱部が設けられた部分の左右両端縁よりも左右外側に位置していることを特徴とするヘアアイロン。
【請求項２】
各前記発熱部のうち少なくとも一方の左右両端縁が各前記本体部の前記発熱部が設けられた部分の左右両端縁よりも左右外側に位置していることを特徴とする請求項１記載のヘアアイロン。
【請求項３】
各前記発熱部の左右幅が同じであり、
一対の前記本体部が近接状態において各前記発熱部の左右両端縁が左右方向で一致して前後方向に延びていることを特徴とする請求項２に記載のヘアアイロン。
【請求項４】
近接状態と離隔状態とに変位し、近接状態において夫々が前後方向に延びた形態である一対の本体部と、
一対の前記本体部が近接状態において対向する対向面の夫々に設けられ、一対の前記本体部を近接状態にすると当接する挟持面を有する一対の発熱部と、
この一対の発熱部の発熱を制御する制御部と、
切替操作部と、
を備えており、
前記制御部は、前記切替操作部の操作に応じて一対の前記発熱部のうち一方のみを発熱する第１モードと、一対の前記発熱部の両方を発熱する第２モードとを交互に切り替えることを特徴とするヘアアイロン。
【発明の詳細な説明】
【技術分野】
【０００１】
本発明はヘアアイロンに関するものである。
【背景技術】
【０００２】
特許文献１は従来のヘアアイロンを開示している。このヘアアイロンは一対の本体部と一対の発熱部とを備えている。一対の本体部は一端側に設けられたヒンジ部で連結されている。一対の本体部は、ヒンジ部の回動軸を中心に相対的に回動し、近接状態と離隔状態とに変位する。一対の本体部は近接状態において夫々が前後方向に延びた形態である。一対の発熱部は、各本体部の他端側であって、一対の本体部が近接状態において対向する対向面の夫々に設けられている。各発熱部は一対の本体部が近接状態において当接する挟持面を有している。各発熱部は各本体部に沿って前後方向に延びている。各本体部の発熱部が設けられている部分の左右両端縁は前後方向に平行に延びている。各発熱部の左右両端縁は前後方向に平行に延びている。各発熱部の左右幅は各本体部の発熱部が設けられている部分の左右幅よりも狭い。また、各発熱部の左右両端縁は各本体部の発熱部が設けられている部分の左右両端縁より内側に位置している。各発熱部は同時に電力の供給がオンオフされる。このヘアアイロンは、電力が供給されて発熱した各発熱部の挟持面で毛髪を挟持し、ストレートパーマを施すことができる。
【先行技術文献】
【特許文献】
【０００３】
【特許文献１】特開２０１７−７７４３２号公報
【発明の概要】
【発明が解決しようとする課題】
【０００４】
しかし、特許文献１のヘアアイロンは、毛髪にカーリングを施すことを想定していない。このため、このヘアアイロンは、毛髪にカーリングを施そうとして、発熱部の挟持面で毛髪を挟持し、発熱部の左右端縁のいずれかで毛髪にテンションをかけようとしても、発熱部の左右両端縁が本体部の左右両端縁よりも内側に位置するため、本体部の左右両端縁に毛髪が当接してしまい発熱部の左右端縁のいずれかで毛髪にテンションをかけられず、毛髪にカーリングを施し難い。
【０００５】
本発明は上記従来の事情に鑑みてなされたものであって、毛髪にストレートパーマとカーリングを良好に施すことができるヘアアイロンを提供することを解決すべき課題としている。
【課題を解決するための手段】
【０００６】
第１発明のヘアアイロンは、
近接状態と離隔状態とに変位し、近接状態において夫々が前後方向に延びた形態である一対の本体部と、
一対の前記本体部が近接状態において対向する対向面の夫々に設けられ、一対の前記本体部を近接状態にすると当接する挟持面を有する一対の発熱部と、
を備えており、
各前記本体部は前記発熱部が設けられている部分の左右両端縁が前後方向に延びており、
各前記発熱部は、前後方向に延びた左右両端縁の夫々が、各前記本体部の各前記発熱部が設けられた部分の左右両端縁に揃っている、又は左右両端縁のうち少なくとも一方が各前記本体部の前記発熱部が設けられた部分の左右両端縁よりも左右外側に位置していることを特徴とする。
【０００７】
第１発明のヘアアイロンは、各発熱部の左右両端縁の夫々が、各本体部の各発熱部が設けられた部分の左右両端縁に揃っている、又は左右両端縁のうち少なくとも一方が各本体部の発熱部が設けられた部分の左右両端縁よりも左右外側に位置しているため、毛髪にカーリングを施す際、各発熱部の挟持面に毛髪を挟持し、各発熱部の左右端縁のいずれかで毛髪にテンションをかけることができる。
【０００８】
また、第２発明のヘアアイロンは、
近接状態と離隔状態とに変位し、近接状態において夫々が前後方向に延びた形態である一対の本体部と、
一対の前記本体部が近接状態において対向する対向面の夫々に設けられ、一対の前記本体部を近接状態にすると当接する挟持面を有する一対の発熱部と、
この一対の発熱部の発熱を制御する制御部と、
切替操作部と、
を備えており、
前記制御部は、前記切替操作部の操作に応じて一対の前記発熱部のうち一方のみを発熱する第１モードと、一対の前記発熱部の両方を発熱する第２モードとに交互に切り替えることを特徴とする。
【０００９】
第２発明のヘアアイロンは、毛髪にカーリングを施す際、第１モードにして、一対の発熱部のうち一方のみを発熱させて各発熱部の挟持面で毛髪を挟持し、カールの内側のみを加熱することによって、カーリングを良好に施すことができる。また、毛髪にストレートパーマを施す際、第２モードにして、一対の発熱部の両方を発熱させて各発熱部の挟持面で毛髪を挟持し、ストレートパーマを良好に施すことができる。
【００１０】
したがって、第１発明及び第２発明のヘアアイロンは毛髪にストレートパーマとカーリングを良好に施すことができる。
【図面の簡単な説明】
【００１１】
【図１】実施例１のヘアアイロンの近接状態を示す斜視図である。
【図２】実施例１のヘアアイロンの近接状態を示す右側面図である。
【図３】実施例１のヘアアイロンの近接状態を示す左側面図である。
【図４】実施例１のヘアアイロンの近接状態を示す平面図である。
【図５】実施例１のヘアアイロンの近接状態を示す底面図である。
【図６】実施例１のヘアアイロンの近接状態を示す正面図である。
【図７】実施例１のヘアアイロンの近接状態を示す背面図である。
【図８】実施例１のヘアアイロンの離隔状態を示す右側面図である。
【図９】他の実施例のヘアアイロンの近接状態を示す正面図である。
【発明を実施するための形態】
【００１２】
本発明における好ましい実施の形態を説明する。
第１発明のヘアアイロンにおいて、各前記発熱部のうち少なくとも一方の左右両端縁が前記本体部の前記発熱部が設けられた部分の左右両端縁よりも左右外側に位置し得る。この場合、本体部の発熱部が設けられた部分の左右両端縁よりも左右外側に位置した発熱部の左右両端縁のいずれかで毛髪にテンションをかけることができるため、毛髪にカーリングを良好に施すことができる。
【００１３】
第１発明のヘアアイロンにおいて、各前記発熱部の左右幅が同じであり、一対の前記本体部が近接状態において各前記発熱部の左右両端縁が左右方向で一致して前後方向に延び得る。この場合、このヘアアイロンは、一対の発熱部の挟持面の全体で毛髪を挟持することができるとともに、各発熱部の左右両端縁のいずれかで毛髪にテンションをかけることができるため、ストレートパーマとカーリングを良好に施すことができる。
【００１４】
次に、本発明のストレートパーマを具体化した実施例１について、図面を参照しつつ説明する。
【００１５】
＜実施例１＞
実施例１のヘアアイロンは、図１〜図８に示すように、一対の本体部１０，２０、一対の発熱部３０，４０、連結部５０、電源プラグ付きコード６０、切替操作部に相当する電源ボタン７０、及び制御部を備えている。一対の本体部１０，２０は、連結部５０の後述するヒンジ部５１によって各本体部１０，２０の後端部が連結されている。このため、一対の本体部１０，２０は、ヒンジ部５１の回動軸を中心に相対的に回動し、図１〜図３に示す近接状態と、図８に示す離隔状態とに変位することができる。近接状態は、図１〜図３に示すように、一対の発熱部３０，４０の後述する挟持面３１，４１同士が当接し各本体部１０，２０が前後方向に延びた状態である。離隔状態は、図８に示すように、各本体部１０，２０がヒンジ部５１から前端側に向けて徐々に離れて間隔が徐々に広がった状態である。一対の本体部１０，２０は後述する把持部１０Ａ，２０Ａを使用者が把持した際に上側に位置する上側本体部１０と下側に位置する下側本体部２０である。図２及び図３において、上側本体部１０が下側本体部２０よりも上側に位置して示されている。
【００１６】
各本体部１０，２０は、図１〜図３に示すように、近接状態において前後方向に延びている。なお、前後は図２において左右である。各本体部１０，２０は把持部１０Ａ，２０Ａと挟持部１０Ｂ，２０Ｂとを有している。挟持部１０Ｂ，２０Ｂは把持部１０Ａ，２０Ａの前端に連続している。図４〜図６に示すように、挟持部１０Ｂ，２０Ｂの左右幅は把持部１０Ａ，２０Ａの左右幅よりも小さい。なお、左右は、各本体部１０，２０の前方から見た左右であり、図４において上下である。
【００１７】
上側本体部１０の把持部１０Ａは、図１〜図３，及び図６に示すように、ヒンジ部５１より前側において、左右中央部が下方向に突出して前後方向に延びた凸部１１Ａと、この凸部１１Ａの左右及び前側に連続した略平坦な面とから形成された前後方向に延びた下面１１を有している。また、上側本体部１０の把持部１０Ａは、図６に示すように、前方から見て、下面の左右両端から上方向に延びて円弧状に膨らんだ湾曲面で形成された上面１３を有している。この上面１３は、図１及び図２に示すように、前後方向の中央部の右側下端縁から下方に突出した垂下部１３Ａを有している。この垂下部１３Ａは３個のボタン（２個の温度調節ボタン１５Ａ，１５Ｂと、その間に配置された電源ボタン７０）が前後方向に並んで配置されている。電源ボタン７０が後述するように切替操作部として機能する。また、上側本体部１０の把持部１０Ａの上面は、図２及び図３に示すように、ヒンジ部５１よりも後側に延びており、ヒンジ部５１より後方に位置する後端部は左右下端縁が後方に向けて上方に湾曲しながら傾斜して延びている。
【００１８】
上側本体部１０の把持部１０Ａは、図１及び図４に示すように、上面１３の左右中央部であって、前後中心よりも前側に前後方向に長い長方形状の表示部１７が設けられている。この表示部１７は、後述する一対の発熱部３０，４０が第１モード又は第２モードのいずれかで発熱されているかを示す数字（１又は２）と、各発熱部の設定温度（１１０℃〜２２０℃の間の１０℃間隔の数字）とを表示する。
【００１９】
下側本体部２０の把持部２０Ａは、図２，図３，及び図６に示すように、連結部５０の後述する離隔力付与部５５より前側において、略平坦な面で形成された前後方向に延びた上面２１を有している。また、下側本体部２０の把持部２０Ａは、図６に示すように、前方から見て、上面２１の左右両端から下方向に延びて円弧状に膨らんだ湾曲面で形成された下面２３を有している。この下面２３は、図２及び図３に示すように、ヒンジ部５１よりも後側に延びており、ヒンジ部５１より後方に位置する後端部は左右上端縁が後方に向けて下方に湾曲しながら傾斜して延びている。
図６に示すように、上側本体部１０の把持部１０Ａの上下寸法は下側本体部２０の把持部２０Ａの上下寸法よりも小さい。つまり、上側本体部１０の把持部１０Ａは下側本体部２０の把持部２０Ａよりも薄く形成されている。
【００２０】
上側本体部１０の挟持部１０Ｂは、図１〜図３，及び図６に示すように、上側本体部１０の把持部１０Ａの下面１１の略平坦な面が連続して前後方向に延びた下面１２を有している。挟持部１０Ｂの下面１２の先端部は下から見た底面視で左右中央が前方へ突出した略半円形状である。この下面１２が一対の本体部１０，２０、が近接状態において対向する上側本体部１０の対向面である。また、上側本体部１０の挟持部１０Ｂは、図６に示すように、前方から見て、下面１２の左右両端から上方向に延びて円弧状に膨らんだ湾曲面で形成された上面１４を有している。この上面１４は先端部を除いて耐熱性を有する素材で形成された温度プロテクタ１４Ａが貼付されている。上側本体部１０の挟持部１０Ｂの上下寸法は、上側本体部１０の把持部１０Ａの上下寸法よりも小さい。また、上側本体部１０の挟持部１０Ｂの左右両端縁は前後方向に平行に延びている。
【００２１】
下側本体部２０の挟持部２０Ｂは、図２，図３，及び図６に示すように、一対の本体部１０，２０が近接状態において、上側本体部１０の挟持部１０Ｂと上下対称形状である。つまり、下側本体部２０の挟持部２０Ｂと上側本体部１０の挟持部１０Ｂの左右幅及び上下高さは同じ寸法である。また、下側本体部２０の挟持部２０Ｂは、下側本体部２０の把持部２０Ａの上面２１に連続し、略平坦な面で形成された前後方向に延びた上面２２を有している。この上面２２の先端部は上から見た平面視で左右中央部が突出した略半円形状である。この上面２２が一対の本体部１０，２０が近接状態において対向する下側本体部２０の対向面である。また、下側本体部２０の挟持部２０Ｂは、図６に示すように、前方から見て、上面２２の左右両端から下方向に延びて円弧状に膨らんだ湾曲面で形成された下面２４を有している。この下面２４は先端部を除いて耐熱性を有する素材で形成された温度プロテクタ２４Ａが貼付されている。下側本体部２０の挟持部２０Ｂの上下寸法は、下側本体部２０の把持部２０Ａの上下寸法よりも小さい。また、下側本体部２０の挟持部２０Ｂの左右両端縁は前後方向に平行に延びている。
このような構成を有する一対の本体部１０，２０は、上側本体部１０の下面１１，１２と下側本体部２０の上面２１，２２とは近接状態において隙間を有して対向するとともに平行な位置関係になる。
【００２２】
一対の発熱部３０，４０は、図２，図３，図６，及び図８に示すように、各本体部１０，２０の挟持部１０Ｂ，２０Ｂの対向面の夫々に設けられている。各発熱部３０，４０は、各本体部１０，２０の挟持部１０Ｂ，２０Ｂの前端部から挟持部の後端部付近まで前後方向に延びて設けられている。一対の発熱部３０，４０は、上側本体部１０の挟持部１０Ｂの対向面に設けられた上側発熱部３０と、下側本体部２０の挟持部２０Ｂの対向面に設けられた下側発熱部４０である。上側発熱部３０と下側発熱部４０の夫々は、発熱本体部３０Ａ，４０Ａと基部３０Ｂ，４０Ｂとを有している。発熱本体部３０Ａ，４０Ａは、左右両端縁が前後方向に平行に延びており、上下方向に薄く、前後方向に長い平板状である。上側発熱部３０と下側発熱部４０の各発熱本体部３０Ａ，４０Ａの左右幅は同じである。上側発熱部３０の発熱本体部３０Ａの下面が挟持面３１である。また、下側発熱部４０の発熱本体部４０Ａの上面が挟持面４１である。
【００２３】
基部３０Ｂ，４０Ｂは、発熱本体部３０Ａ，４０Ａの左右幅よりも狭く、かつ各本体部１０，２０の挟持部１０Ｂ，２０Ｂの左右幅よりも狭い。また、基部３０Ｂ，４０Ｂは、発熱本体部３０Ａ，４０Ａの挟持面３１，４１と反対側の面の左右中央部から上下方向に延びており、発熱本体部３０Ａ，４０Ａの前後方向の全体に亘って前後方向に延びている。また、基部３０Ｂ，４０Ｂは上側本体部１０の挟持部１０Ｂの対向面又は下側本体部２０の挟持部２０Ｂの対向面に埋め込まれるように取り付けられている。
【００２４】
上側本体部１０の挟持部１０Ｂの対向面及び下側本体部２０の挟持部２０Ｂの対向面に基部３０Ｂ，４０Ｂが取り付けられた各発熱本体部３０Ａ，４０Ａの左右両端縁は、前後方向に平行に延びており、上側本体部１０の挟持部１０Ｂの左右両端縁及び下側本体部２０の挟持部２０Ｂの左右両端縁よりも左右外側に位置している。また、一対の本体部１０，２０が近接状態において、各発熱本体部３０Ａ，４０Ａの挟持面３１，４１同士が当接し、各発熱本体部３０Ａ，４０Ａの左右両端縁が左右方向で一致して前後方向に延びている。
【００２５】
連結部５０は、図２，図３，及び図８に示すように、ヒンジ部５１、コード接続部５３、及び離隔力付与部５５を有している。連結部５０は上側本体部１０と下側本体部２０の後端部の間に配置されている。連結部５０は、前側から順に離隔力付与部５５、ヒンジ部５１、コード接続部５３の順に配置されている。コード接続部５３の後端部が各本体部１０，２０の後端より後方に突出している。離隔力付与部５５は、内部に図示しない圧縮コイルバネが収納されている。この圧縮コイルばねは、中心軸が上下方向に延びるように配置され、一対の本体部１０，２０が近接状態から離隔状態に変位する方向に弾性力を付与している。つまり、このヘアアイロンは、離隔力付与部５５の圧縮コイルばねの弾性力によって一対の本体部１０，２０が離隔状態になる。また、このヘアアイロンは、使用者が上側本体部１０の把持部１０Ａ及び下側本体部２０の把持部２０Ａを一緒に握り上側本体部１０と下側本体部２０を圧縮コイルばねの弾性力に抗して一対の本体部１０，２０を近接状態にすることができる。
【００２６】
ヒンジ部５１は、上側本体部１０と下側本体部２０とを回動軸を中心に相対的に回動するように連結している。コード接続部５３は前後方向に延びた略円筒形状である。コード接続部５３は、電源プラグ付きコード６０の電源プラグと反対側のコード６０の端部が挿入され、コード６０を前後方向に延びる中心軸周りに回動自在に接続している。
【００２７】
制御部は上側本体部１０の把持部１０Ａ内に収納されている（図示せず）。制御部は上側本体部１０の把持部１０Ａの上面の垂下部１３Ａに配置された各ボタン１５Ａ，１５Ｂ，７０の操作によって、各発熱部３０，４０の発熱又は非発熱の切換制御、及び発熱温度の制御を行う。詳しくは、電源ボタン７０が短く押されると、電源がオフ状態の場合、直近に電源をオフした際の発熱モードで通電を開始し、電源が温状態の場合、通電を終了する。発熱モードは、上側発熱部３０が発熱せず、下側発熱部４０のみが発熱する第１モードと、上側発熱部３０及び下側発熱部４０の両方が発熱する第２モードとを有している。制御部は、電源ボタン７０が長押しされる度に、第１モードと第２モードとを交互に切り替える。つまり、電源ボタン７０が切替操作部に相当する。
【００２８】
また、制御部は、２個の温度調整ボタン１５Ａ，１５Ｂのうち、表面に「＋」が示されている昇温ボタン１５Ａが押される度に、１１０℃〜２２０℃の間で１０℃ずつ設定温度を上昇させる。一方、制御部は、２個の温度調整ボタン１５Ａ，１５Ｂのうち、表面に「−」が示されている降温ボタン１５Ｂが押される度に、１１０℃〜２２０℃の間で１０℃ずつ設定温度を下降させる。
【００２９】
このような構成を有するヘアアイロンは、以下に示すように、使用される。
使用者が電源ボタン７０を押すと、上述したように、制御部は、直近に電源をオフした際の発熱モードで通電を開始し、発熱部３０，４０を１８０℃まで昇温させる。この際、上側本体部１０の把持部１０Ａの上面に設けられた表示部１７に発熱モードのいずれかであるかが数秒間、表示される。つまり、第１モードであれば、「１」が表示され、第２モードであれば、「２」が表示される。その後、発熱部３０，４０の温度上昇に応じて表示部１７に温度が表示される。
【００３０】
仮に、毛髪にカーリングを施す場合は、発熱モードを第１モードにする（第２モードであった場合は電源ボタン７０を長押しして第１モードに切り替える。）。そして、下側発熱部４０のみを発熱させて、上側本体部１０の把持部１０Ａ及び下側本体部２０の把持部２０Ａを一緒に握り、一対の本体部１０，２０を離隔状態から近接状態にしながら各発熱部３０，４０の挟持面３１，４１で毛髪を挟持する。そして、発熱部３０，４０の左右端縁のいずれかで毛髪にテンションをかけながらカールの内側のみを加熱して、カーリングを施す。この際、下側発熱部４０の温度を１１０℃〜２２０℃の間で２個の温度調整ボタン１５Ａ，１５Ｂを操作して変更することができる。
【００３１】
また、毛髪にストレートパーマを施す場合は、発熱モードを第２モードにする（第１モードであった場合は、電源ボタン７０を長押しして第２モードに切り替える。）。そして、上側発熱部３０及び下側発熱部４０を発熱させて、上側本体部１０の把持部１０Ａ及び下側本体部２０の把持部２０Ａを一緒に握り、一対の本体部１０，２０を離隔状態から近接状態にしながら各発熱部３０，４０の挟持面３１，４１で毛髪を挟持し、ストレートパーマを施す。この際、上側発熱部３０及び下側発熱部４０の温度を１１０℃〜２２０℃の間で２個の温度調整ボタン１５Ａ，１５Ｂを操作して変更することができる。
【００３２】
このように実施例１のヘアアイロンは、一対の本体部１０，２０と、一対の発熱部３０，４０とを備えている。一対の本体部１０，２０は、近接状態と離隔状態とに変位し、近接状態において夫々が前後方向に延びた形態である。一対の発熱部３０，４０は一対の本体部１０，２０が近接状態において対向する対向面の夫々に設けられている。また、一対の発熱部３０，４０は一対の本体部１０，２０を近接状態にすると当接する挟持面３１，４１を有している。各本体部１０，２０は挟持部１０Ｂ，２０Ｂ（発熱部３０，４０が設けられている部分）の左右両端縁が前後方向に延びている。各発熱部３０，４０は、前後方向に延びた左右両端縁が本体部１０，２０の挟持部１０Ｂ，２０Ｂの左右両端縁よりも左右外側に位置している。
【００３３】
このヘアアイロンは、前後方向に延びた各発熱部３０，４０の左右両端縁が本体部１０，２０の挟持部１０Ｂ，２０Ｂの左右両端縁よりも左右外側に位置しているため、毛髪にカーリングを施す際、各発熱部３０，４０の挟持面３１，４１で毛髪を挟持し、各発熱部３０，４０の左右端縁のいずれかで毛髪にテンションをかけることができる。
【００３４】
また、実施例１のヘアアイロンは、一対の本体部１０，２０と、一対の発熱部３０，４０と、制御部と、切替操作部である電源ボタン７０とを備えている。一対の本体部１０，２０は、近接状態と離隔状態とに変位し、近接状態において夫々が前後方向に延びた形態である。一対の発熱部３０，４０は一対の本体部１０，２０が近接状態において対向する対向面の夫々に設けられている。また、一対の発熱部３０，４０は一対の本体部１０，２０を近接状態にすると当接する挟持面３１，４１を有している。制御部は一対の発熱部３０，４０の発熱を制御する。制御部は、電源ボタン７０が長押しされると、下側発熱部４０のみが発熱する第１モードと、一対の発熱部３０，４０の両方を発熱する第２モードとに交互に切り替える。
【００３５】
このヘアアイロンは、毛髪にカーリングを施す際、第１モードにして、下側発熱部４０のみを発熱させて各発熱部３０，４０の挟持面３１，４１で毛髪を挟持し、カールの内側のみを加熱することによって、カーリングを良好に施すことができる。また、毛髪にストレートパーマを施す際、第２モードにして、一対の発熱部３０，４０の両方を発熱させて各発熱部３０，４０の挟持面３１，４１で毛髪を挟持し、ストレートパーマを良好に施すことができる。
【００３６】
したがって、実施例１のヘアアイロンは毛髪にストレートパーマとカーリングを良好に施すことができる。
【００３７】
また、実施例１のヘアアイロンは、発熱部３０，４０の左右幅が同じであり、一対の本体部１０，２０が近接状態において、発熱本体部３０Ａ，４０Ａの左右両端縁が左右方向で一致して前後方向に延びている。このため、このヘアアイロンは、一対の発熱部３０，４０の挟持面３１，４１の全体で毛髪を挟持することができるとともに、各発熱部３０，４０の左右両端縁のいずれかで毛髪にテンションをかけることができるため、ストレートパーマとカーリングを良好に施すことができる。
【００３８】
本発明は上記記述及び図面によって説明した実施例１に限定されるものではなく、例えば次のような実施例も本発明の技術的範囲に含まれる。
（１）実施例１では、各発熱部３０，４０の発熱本体部３０Ａ，４０Ａの左右幅が同じであり、各発熱部３０，４０の発熱本体部３０Ａ，４０Ａの左右両端縁が本体部１０，２０の挟持部１０Ｂ，２０Ｂの左右両端縁よりも左右外側に位置していたが、各発熱部の発熱本体部の左右両端縁は、本体部１０，２０の挟持部１０Ｂ，２０Ｂの左右両端縁に揃っていてもよい。
（２）実施例１では、各発熱部３０，４０の発熱本体部３０Ａ，４０Ａの左右幅が同じであり、各発熱本体部３０Ａ，４０Ａの左右両端縁が左右方向で一致し、本体部１０，２０の挟持部１０Ｂ，２０Ｂの左右両端縁よりも左右外側に位置していたが、図９に示すように、上側発熱部１３０の発熱本体部１３０Ａの左右両端縁が本体部１０の挟持部１０Ｂの左右両端縁より左右外側に位置し、下側発熱部４０の発熱本体部４０Ａの左右両端縁が本体部２０の挟持部２０Ｂの左右両端縁に揃っていてもよい。また、図９の上側発熱部１３０を下側本体部２０の挟持部２０Ｂの対向面に取付け、下側発熱部４０を上側本体部１０の挟持部１０Ｂの対向面に取付けてもよい。図９において、実施例１と同様な構成は同じ符号を付している。
（３）実施例１では、発熱部３０，４０の発熱本体部３０Ａ，４０Ａの左右両端縁が本体部１０，２０の挟持部１０Ｂ，２０Ｂの左右両端縁よりも左右外側に位置していたが、発熱部の発熱本体部の左右端縁の一方のみが本体部１０，２０の挟持部１０Ｂ，２０Ｂの左右端縁よりも外側に位置していてもよい。
（４）実施例１では、一対の本体部１０，２０がヒンジ部５１の回動軸を中心に相対的に回動するようにしたが、一対の本体部が相対的に平行移動し、近接状態と離間状態とに変位するようにしてもよい。
（５）実施例１では、表示部１７が第１モードと第２モードを数字で表示したが、温度表示の色を変えることによって、第１モードと第２モードとの違いを表示するようにしてもよい。
【符号の説明】
【００３９】
１０，２０…本体部（１０…上側本体部、２０…下側本体部）
３０，４０…発熱部（３０…上側発熱部、４０…下側発熱部）
３１，４１…挟持面
７０…電源ボタン（切替操作部）
【図１】
2019115449.tif 000003
【図２】
2019115449.tif 000004
【図３】
2019115449.tif 000005
【図４】
2019115449.tif 000006
【図５】
2019115449.tif 000007
【図６】
2019115449.tif 000008
【図７】
2019115449.tif 000009
【図８】
2019115449.tif 000010
【図９】
2019115449.tif 000011